(57)【要約】      （修正有）【課題】バー部材に吊り下げて使用し、陳列商品の情報を表示するＰＯＰハンガーを提供する。【解決手段】バー部材３に架けられるフック状の係り部１１と、該係り部の下方に位置する錘部１３と、該係り部と該錘部を連結する連結部１２とからなるハンガー本体部１と、該フック状の係り部の一方の側面で、該フック状の係り部と一体的に取り付けられる係止体２と、を備えるものであり、該錘部は、錘と、該錘を着脱自在に収納する錘収納部とからなる。【選択図】図１
0003161065.tif 000002
【実用新案登録請求の範囲】
【請求項１】
バー部材に吊り下げて使用し、該バー部材に吊り下げられた陳列商品の情報を表示するものであって、
該バー部材に架けられるフック状の係り部と、該係り部の下方に位置する錘部と、該係り部と該錘部を連結する連結部とからなるハンガー本体部と、
該フック状の係り部の一方の側面で、該フック状の係り部と一体的に取り付けられる係止体と、を備えるものであり、
該錘部は、錘と、該錘を着脱自在に収納する錘収納部とからなることを特徴とするＰＯＰハンガー。
【請求項２】
該係止体に係止される商品情報を表示した表示体を、更に有することを特徴とする請求項１記載のＰＯＰハンガー。
【請求項３】
該係止体は、Ｌ字形状又は逆Ｌ字形状のケース状物であり、該ケース状物に該表示体の一部を差し込んでなることを特徴とする請求項１又は２記載のＰＯＰハンガー。
【請求項４】
該錘収納部は、蓋付き箱状物であることを特徴とする請求項１〜３のいずれか１項に記載のＰＯＰハンガー。
【請求項５】
該表示体は、板状カード挿入口を有する４辺の縁部材で囲まれた枠体構造のカードケースと、該カードケースに挿入される商品情報が表示された板状カードからなることを特徴とする請求項２〜４のいずれか１項に記載のＰＯＰハンガー。
【請求項６】
該表示体は、板状のカードであることを特徴とする請求項２〜４のいずれか１項に記載のＰＯＰハンガー。
【請求項７】
該係止体に該表示体を装着し、該錘収納部に錘を収納し、該フック状の係り部を該バー部材に吊り下げた際、該表示体が正対することを特徴とする請求項２〜６のいずれか１項に記載のＰＯＰハンガー。
【考案の詳細な説明】
【技術分野】
【０００１】
本考案は、ジャケット、コート、スーツ等をバー部材に吊り下げて陳列する際、これらの商品の商品情報を表示するＰＯＰ（point of purpose）ハンガーに関するものである。
【背景技術】
【０００２】
百貨店、量販店、アパレル専門店などにおいては、ジャケット、コート、スーツ等は、１つのバー部材に数十点が吊り下げて陳列される。この際、一定の区画毎に商品のサイズ、価格、特性等の商品情報を表示することが行われている。このようなＰＯＰ表示は、天井からＰＯＰ板を吊り下げる方法、商品が吊り下げられるバー部材にＰＯＰ板を吊り下げて顧客に商品情報を示すＰＯＰハンガーによる方法が挙げられる。
【０００３】
従来のＰＯＰハンガーとしては、図４に示すように、異形板状物１０１の一方の側をバー部材３が挿通可能なように開口１０２を設け、中央の凹部１０３で支持可能としたものが知られている。このＰＯＰハンガー１００では、開口１０２の反対側の板状部１０４に、商品情報が示されており、陳列商品に近く、取り換えも簡単なことから便利である。また、異形板状物とするのは、表示部分を顧客から見易くするためバー部材３の近くにしたいこと、吊り下げて使用すること、更に吊り下げるため表示が顧客に対して正対するようにバランスをとるなどの諸要求を満たすためである。
【考案の開示】
【考案が解決しようとする課題】
【０００４】
しかしながら、従来のＰＯＰハンガーは、一体物であるため、商品情報が異なる場合、別途のＰＯＰハンガーの準備が必要であった。また、商品が変わる毎に新たなＰＯＰハンガーを作成する必要があり、コストアップになると共に、在庫管理など煩わしいものであった。
【０００５】
従って、本考案の目的は、商品情報が異なるような場合あるいは商品が変わるような場合であっても、最小限のパーツの交換で済むＰＯＰハンガーを提供することにある。
【０００６】
かかる実情において、本考案者は鋭意検討を行った結果、ＰＯＰハンガーは、表示部のみを変更すれば足りること、また、表示部の変更により、崩れたバランスは、バランスを採る錘の重量を変更すれば解決できること等を見出し、本考案を完成するに至った。
【０００７】
すなわち、本考案は、バー部材に吊り下げて使用し、該バー部材に吊り下げられた陳列商品の情報を表示するものであって、該バー部材に架けられるフック状の係り部と、該係り部の下方に位置する錘部と、該係り部と該錘部を連結する連結部とからなるハンガー本体部と、該フック状の係り部の一方の側面で、該フック状の係り部と一体的に取り付けられる係止体と、を備えるものであり、該錘部は、錘と、該錘を着脱自在に収納する錘収納部とからなることを特徴とするＰＯＰハンガーを提供するものである。
【考案の効果】
【０００８】
本考案によれば、商品情報を変更したい場合あるいは陳列商品の入れ替えがある場合であっても、カードの種類の変更及び錘の重量の変更で済み、ＰＯＰハンガー本体はそのまま使用できるため、最小限のパーツの交換で済み、コストを低減し、在庫管理も容易となる。
【図面の簡単な説明】
【０００９】
【図１】本実施の形態例におけるＰＯＰハンガーの斜視図。
【図２】図１のＰＯＰハンガーの正面図。
【図３】図１のＰＯＰハンガーの分解斜視図。
【図４】従来のＰＯＰハンガーの使用状態図。
【考案を実施するための形態】
【００１０】
次に、本考案の実施の形態におけるＰＯＰハンガーを図１〜図３を参照して説明する。ＰＯＰハンガー１０は、バー部材３に吊り下げて使用し、バー部材３に吊り下げられた陳列商品Ａの情報を表示する。このような吊り下げによるＰＯＰ表示方法は、従来の使用方法を示した図４と同様の表示方法である。なお、図１では陳列商品の記載を省略した。
【００１１】
ＰＯＰハンガー１０は、バー部材３に架けられるフック状の係り部１１と、係り部１１の下方に位置する錘部１３と、係り部１１と錘部１３を連結する連結部１２とからなるハンガー本体部１を備えている。フック状の係り部１１の形状としては、バー部材３に架けられるものであって、フック状のものであれば特に制限されない。フック状の係り部１１の形状の好適なものとしては、図１に示すように、ジャケット等の吊り下げに一般的に使用される斜め下方に開口を有する３/４リング状のフックが挙げられる。斜め下方に開口を有するリング状のフックであれば、簡易な形状で吊り下げができる。
【００１２】
錘部１３は、係り部１１の下方に位置する。また、使用状態において、錘部１３の重心は、バー部材３を中心にして係止体２の反対側にくる。すなわち、図２は、吊り下げられた状態において、板状のカード２２が顧客に対して正対するものであるが、錘部１３の重心がバー部材３の右側にあり、ＰＯＰハンガー１０は吊り下げ状態においてバランスを保っている。錘部１３がバー部材３の直下に近くなるほど、錘の重量を重くする必要があり、逆に、錘部１３がバー部材３の直下から離れすぎると、板状のカード２２等の表示体が軽すぎると、板状のカード２２が顧客に対して正対できないことがある。なお、本明細書中、正対とは、商品情報などの表示配列がもくろみ通り顧客から見える姿勢を言う。
【００１３】
錘部１３は、図３に示すように、錘１３２と、錘１３２を着脱自在に収納する錘収納部１３１、１３３からなる。錘１３２としては、重量を付加できるものであれば、特に制限されず、本例では、金属製の四角形板状物であり、中心に取り付け用孔１３５が形成されている。錘１３２は、重量の異なる種々のものが準備される。
【００１４】
錘収納部１３としては、錘１３２を収納できるものであれば、特に制限されず、本例では、浅底の箱状物１３１と、箱状物１３１の開口を閉める蓋部材１３３とからなる。浅底の箱状物１３１の上面には係止用の突起１３５が形成され、箱状物１３１の底面中央には、錘１３２の取り付け用孔１３５が係止する突起１３４が形成されている。蓋部材１３３には、箱状物１３１の突起１３５に係止する係止片１３６が形成されている。これにより、簡単に蓋ができ、また、蓋を外せる。浅底の箱状物１３１は、表示部の最大重量とバランスを採るための重量を有する錘１３２を収納できる容積のものとする。これにより、如何なる重量の表示部に対しても、重量の異なる錘１３２を替えることで、表示部を正対できるバランスを付与できる。また、浅底の箱状物１３１とすることで、吊り下げの際、商品の陳列の妨げとならない。
【００１５】
また、錘収納部１３は、上記の蓋付き箱状物に限定されず、例えばマグネットであってもよい。この場合、錘１３２はマグネットに吸着する金属が使用される。マグネットは、所定形状のマグネット支持台に取り付けられていてもよい。
【００１６】
連結部１２は、係り部１１と錘部１３を連結するものであれば、その形状は特に限定されない。そして、連結部１２、係り部１１及び錘部１３は一体化してハンガー本体部１を構成している。連結部１２は２つの脚部１２１、１２２が上方で一体化し、係り部１１に連続している。脚部１２１、１２２の下方端は錘部１３の浅底の箱状物１３１の上面に接続している。また、脚部１２１又は１２２は把持するのに好適な形状となっているため、ＰＯＰハンガー１０の把持部ともなる。
【００１７】
ハンガー本体部１は、全体に亘り薄肉状であるため、バー部材３に吊り下げても陳列の妨げとならない。
【００１８】
係止体２は、フック状の係り部１１の一方の側面、図２ではフック状の係り部１１の左側面に、フック状の係り部１１と一体となるように取り付けられるものである。係止体２は、表示体の一部と係合して、表示体を支持するものである。なお、フック状の係り部１１における係止体２の取り付け位置は、図２のような位置に限定されず、例えば、フック状の係り部１１の右側面に、フック状の係り部１１と一体となるように取り付けられるものであってもよい。
【００１９】
係止体２は、表示部の一部を係止するものであれば、特に限定されず、例えば、図３に示すような、逆Ｌ字形状（図１において裏面から見ればＬ字形状）のケース状物が挙げられる。逆Ｌ字形状のケース状物は、逆Ｌ字形状の底板と逆Ｌ字形状の２つの側板からなり、内側部分を開口して、表示板の横からの挿入及び表示板の上からの挿入を可能にしている。従来のＰＯＰハンガーでは、ハンガー本体部と表示体が一体となっていたため、表示部を例えば大きいものに変更するには、ＰＯＰハンガー全体を替える必要があったが、本考案のＰＯＰハンガーは、係止体２に差し込む表示体のみを替えればよく、変更パーツを最小限にできる。係止体２は、上記の逆Ｌ字形状又はＬ字形状の他、円弧形状、Ｉ字形状、異形形状のものが使用できる。また、係止体２は、上記の雌係止体ではない、雄係止体であってもよい。係止体２が雄係止体の場合、係止する表示体には雌係合部を有する。
【００２０】
表示体は、本例では、板状カード挿入口２１２を有する４辺の縁部材２１１で囲まれた枠体構造のカードケース２１と、カードケース２１に挿入される商品情報が表示された板状カード２２からなる。カードケース２１の四隅は、係止体２に係止できる厚みと形状に成形されている。板状カード２２は、板状カード挿入口２１２から抜き差しされる。
【００２１】
本考案のＰＯＰハンガー１０において、カードケース２１を使用せず、板状のカード２２を直接、係止体２に取り付けるものであってもよい。この場合、表示板が板状のカードとなり、板状のカード２２の少なくとも、係止体２に挿入される部分は、係止体２と係止するに十分な厚みとされる。
【００２２】
板状のカード２２には、ＰＯＰ表示がされる。ＰＯＰ表示としては、顧客へのキャッチフレーズ、サイズ、価格、特性などが文字又は絵柄で表現されたものである。
【００２３】
次に、本考案のＰＯＰハンガーの使用方法の一例について説明する。先ず、商品情報が表示された板状カード２２が準備され、そのサイズに見合うカードケース２１が準備される。カードケース２１には板状カード２２を挿入しておく。次いで、板状カード２２付きカードケース２１を係止体２に係止する。一方、箱状物１３１の中に、予測される重量の錘１３２あるいは蓄積された表示体と錘の関係を示すデータから選定された所定重量の錘１３２を入れ、蓋１３３をする。このようにセットされたＰＯＰハンガー１０をバー部材３に吊り下げる。
【００２４】
吊り下げられたＰＯＰハンガー１０において、板状カード２２に記載された商品情報が顧客に対して正対するものであれば、このまま使用する。吊り下げられたＰＯＰハンガー１０において、板状カード２２に記載された商品情報が顧客に対して左下がりに見えるようであれば、すなわち、表示部側の重量が重く、左に傾くような場合には、錘部１３の錘を、別途準備されている更に重い錘に変更し、同様にバー部材３に吊り下げる。このように、板状カード２２に記載された商品情報が顧客に対して正対するまで、バランス調整、すなわち、錘１３２の重量調整を行う。また、吊り下げられたＰＯＰハンガー１０において、板状カード２２に記載された商品情報が顧客に対して右下がりに見えるようであれば、すなわち、錘部１３の重量が重く、右に傾くような場合には、錘部１３の錘を、別途準備されている更に軽い錘に変更し、同様にバー部材３に吊り下げる。このように、板状カード２２に記載された商品情報が顧客に対して正対するまで、バランス調整、すなわち、錘１３２の重量調整を行う。
【００２５】
また、表示部の大きさ等が変更され、バランスが崩れた場合も前記と同様の方法で錘を変更して調整する。
【産業上の利用可能性】
【００２６】
本考案によれば、商品情報を変更したい場合あるいは陳列商品の入れ替えがある場合であっても、係り部を含む本体部分はそのままで、カードの種類の変更及び錘の重量の変更で済み、最小限のパーツの交換で済むため、コストを低減し、在庫管理も容易となる。
【符号の説明】
【００２７】
１        ハンガー本体部
２       係止体
３        バー部材
１０        ＰＯＰハンガー
１１        フック状の係り部
１２        連結部
１３        錘部
２２        板状のカード
１３２        錘
１３１        錘収納部
１３３        錘収納部の蓋
Ａ        陳列商品
【図１】
0003161065.tif 000003
【図２】
0003161065.tif 000004
【図３】
0003161065.tif 000005
【図４】
0003161065.tif 000006
【手続補正書】
【提出日】平成22年4月15日(2010.4.15)
【手続補正１】
【補正対象書類名】実用新案登録請求の範囲
【補正対象項目名】請求項３
【補正方法】変更
【補正の内容】
【請求項３】
該係止体は、Ｌ字形状又は逆Ｌ字形状のケース状物であり、該ケース状物に該表示体の一部を差し込んでなることを特徴とする請求項２記載のＰＯＰハンガー。
【手続補正書】
【提出日】平成22年5月18日(2010.5.18)
【手続補正１】
【補正対象書類名】実用新案登録請求の範囲
【補正対象項目名】全文
【補正方法】変更
【補正の内容】
【実用新案登録請求の範囲】
【請求項１】
バー部材に吊り下げて使用し、該バー部材に吊り下げられた陳列商品の情報を表示するものであって、
該バー部材に架けられるフック状の係り部と、該係り部の下方に位置する錘部と、該係り部と該錘部を連結する連結部とからなるハンガー本体部と、
該フック状の係り部の一方の側面で、該フック状の係り部と一体的に取り付けられる係止体と、を備えるものであり、
該錘部は、錘と、該錘を着脱自在に収納する錘収納部とからなることを特徴とするＰＯＰハンガー。
【請求項２】
該係止体に係止される商品情報を表示した表示体を、更に有することを特徴とする請求項１記載のＰＯＰハンガー。
【請求項３】
該係止体は、Ｌ字形状又は逆Ｌ字形状のケース状物であり、該ケース状物に該表示体の一部を差し込んでなることを特徴とする請求項２記載のＰＯＰハンガー。
【請求項４】
該錘収納部は、蓋付き箱状物であることを特徴とする請求項１〜３のいずれか１項に記載のＰＯＰハンガー。
【請求項５】
該表示体は、板状カード挿入口を有する４辺の縁部材で囲まれた枠体構造のカードケースと、該カードケースに挿入される商品情報が表示された板状カードからなることを特徴とする請求項３又は４に記載のＰＯＰハンガー。
【請求項６】
該表示体は、板状のカードであることを特徴とする請求項２に記載のＰＯＰハンガー。
【請求項７】
該係止体に該表示体を係止又は装着し、該錘収納部に錘を収納し、該フック状の係り部を該バー部材に吊り下げた際、該表示体が正対することを特徴とする請求項２〜６のいずれか１項に記載のＰＯＰハンガー。